(57)【要約】【課題】防水構造を簡素化する。【解決手段】携帯電話機を構成する各ユニット４０，５０，６０，７０の基板４１，５１，６１，７１は、樹脂４２，５２，６２，７２によって被覆されている。このため、携帯電話機の第１筐体１１及び第２筐体１４内部に、多少の水が侵入したとしても、基板それぞれに実装された電子部品が水の影響を受けることがない。したがって、筐体の構造を、水の侵入を完全に防ぐための防水構造とする必要がなく、簡素化することができる。【選択図】図３
2011193174.tif 000002
【特許請求の範囲】
【請求項１】
筐体と、
前記筐体内に配置されるユニットと、
を有する携帯通信端末であって、
前記ユニットは、防水性の物質によって被覆されていることを特徴とする携帯通信端末。
【請求項２】
前記ユニットは、複数配置され、コネクタを介して相互に接続されていることを特徴とする請求項１に記載の携帯通信端末。
【請求項３】
前記コネクタは、防水処理が施されていることを特徴とする請求項２に記載の携帯通信端末。
【請求項４】
前記筐体は、第１筐体と、前記第１筐体と回動可能に接続された第２筐体とを有し、
前記第１筐体及び前記第２筐体のそれぞれに、前記ユニットが配置されていることを特徴とする請求項２又は請求項３に記載の携帯通信端末。
【請求項５】
前記ユニットは、ユーザに情報を表示するための表示部を備えることを特徴とする請求項１乃至４のいずれか一項に記載の携帯通信端末。
【請求項６】
前記表示部は、露出していることを特徴とする請求項５に記載の携帯通信端末。
【請求項７】
前記ユニットは、ユーザが情報を入力するための操作部を備えることを特徴とする請求項１乃至６のいずれか一項に記載の携帯通信端末。
【請求項８】
前記操作部は、露出していることを特徴とする請求項７に記載の携帯通信端末。
【発明の詳細な説明】
【技術分野】
【０００１】
本発明は、携帯通信端末に関し、更に詳しくは、防水機能を備える携帯通信端末に関する。
【背景技術】
【０００２】
携帯通信端末は、屋外で使用されることがあるため、防水性能を備えることが望まれる。例えば、下記特許文献には、防水機能を備える携帯通信端末が開示されている。
【先行技術文献】
【特許文献】
【０００３】
【特許文献１】特開２００８−１８１９８９号公報
【特許文献２】特開２００９−１９８６３１号公報
【発明の概要】
【発明が解決しようとする課題】
【０００４】
しかしながら、上記特許文献に記載の携帯通信端末は、防水機能を実現するための構造が複雑である。そのため、携帯通信端末の設計、防水性の評価、再設計を繰り返し行うことが必要となり、製品の完成までに多くの時間を要することが考えられる。
【０００５】
本発明は、上述の事情の下になされたもので、簡素な防水構造を有する携帯通信端末を提供することを目的とする。
【課題を解決するための手段】
【０００６】
上述の目的を達成するため、本発明に係る携帯通信端末は、筐体と、前記筐体内に配置されるユニットと、を有する携帯通信端末であって、前記ユニットは、防水性の物質によって被覆されている。
【発明の効果】
【０００７】
本発明によれば、携帯電話機の内部への水の侵入を防ぐための複雑な構造が不要となる。これにより、防水構造を簡素化することができる。
【図面の簡単な説明】
【０００８】
【図１】本発明の実施形態に係る携帯電話機を示す正面図である。
【図２】携帯電話機のブロック図である。
【図３】携帯電話機の分解斜視図である。
【図４】（Ａ）は、被覆される前の基板ユニットを示す図である。（Ｂ）は、被覆された後の基板ユニットを示す図である。
【図５】（Ａ）は、被覆される前の基板ユニットを示す図である。（Ｂ）は、被覆された後の基板ユニットを示す図である。
【図６】（Ａ）は、被覆される前の表示部ユニットを示す図である。（Ｂ）は、被覆された後の表示部ユニットを示す図である。
【図７】（Ａ）は、被覆される前の操作部ユニットを示す図である。（Ｂ）は、被覆された後の操作部ユニットを示す図である。
【図８】変形例に係る携帯電話機を示す分解斜視図である。
【発明を実施するための形態】
【０００９】
以下、本発明の実施形態について図面を参照しながら説明する。
【００１０】
図１は、本発明の実施形態に係る携帯電話機１０（携帯通信端末）の正面図である。図１に示すように、携帯電話機１０は、第１筐体１１と、第２筐体１４と、ヒンジ部１７とを有している。第１筐体１１には、表示部２０と、スピーカ２４とが配設されている。そして、第２筐体１４には、マイク２２と、操作部２６とが配設されている。
【００１１】
本実施形態に係る携帯電話機１０は、通常の携帯電話機と同様に、音声通話機能、電子メールの送信及び受信機能、インターネットへの接続機能、ＴＶ放送受信・再生やゲームなどの各種アプリケーション機能を有している。
【００１２】
図２は、携帯電話機１０のブロック図である。携帯電話機１０は、図２に示すように、上述した表示部２０と、マイク２２と、スピーカ２４と、操作部２６とに加えて、無線通信部３３、放送受信部３４、カメラ３５、音声処理部３６、測位部３７、記憶部３１、制御部３０、及び上記各部を相互に接続するバス３８を有している。
【００１３】
表示部２０は、画像、図形、文字、記号などの情報を表示する。表示部２０は、例えば、液晶パネルである。
【００１４】
操作部２６は、テンキー、方向キー／決定キー、及びファンクションキー等から構成される。ユーザによる情報の入力は、操作部２６を通じて行われる。
【００１５】
無線通信部３３は、アンテナ３３ａを介して図示しない無線基地局装置と無線通信を行う。無線基地局装置を介して、携帯電話機１０と他の端末との間でデータが送受される。
【００１６】
放送受信部３４は、放送局（地上局、衛星など）から送信された放送信号をアンテナ３４ａを介して受信し、その受信した信号を復調することにより、映像データ、音声データ、情報データ等を生成する。
【００１７】
カメラ３５は、例えばＣＣＤ素子又はＣＭＯＳ素子等からなる撮像素子を有する。カメラ３５は、撮像素子の撮像により、画像を取得（撮影）する。この画像は、例えばデジタル画像である。
【００１８】
音声処理部３６は、マイク２２を介して入力される音声信号や、スピーカ２４を介して出力される音声信号などを処理する。スピーカ２４は、楽音や報知音などの鳴音出力も行う。
【００１９】
測位部３７は、ＧＰＳ（Global Positioning System）受信機を有する。ＧＰＳ受信機は、複数のＧＰＳ衛星から発射された電波を受信する。測位部３７は、携帯電話機１０に到達するまでの時間を測定し、その時間差からＧＰＳ衛星と携帯電話機１０との距離を求め、この距離を利用して現在位置（位置座標）を求める。
【００２０】
記憶部３１は、例えばフラッシュメモリ、ハードディスク、ＲＯＭ、及びＲＡＭのいずれか、又は任意の組み合わせからなる。記憶部３１には、例えば通信のための情報（例えば電話帳、送受信メール、発着呼など）、コンテンツデータ、アプリケーションプログラム、及びその他の携帯電話機１０の諸設定などが格納されている。
【００２１】
制御部３０は、マイクロコンピュータ、すなわちＣＰＵ（Central Processing Unit）、ＲＯＭ（Read-Only Memory）、及びＲＡＭ（Random Access Memory）等から構成されている。ここで、ＲＯＭは、各種処理を実行するためのプログラムやデータを記憶する。ＲＡＭは、データを一時的に記憶する。また、ＣＰＵは、ＲＯＭやＲＡＭ等からプログラムやデータを読み出して、プログラムの実行やデータ処理等を行う。
【００２２】
図３は、携帯電話機１０の分解斜視図である。図３に示すように、第１筐体１１は、筐体本体１２と筐体蓋部１３とを有している。そして、第１筐体１１の内部には、基板ユニット４０と表示部ユニット６０とが収納されている。また、第２筐体１４は、筐体本体１５と筐体蓋部１６とを有している。そして、第２筐体１４の内部には、基板ユニット５０と操作部ユニット７０とが収納されている。
【００２３】
第１筐体１１の筐体蓋部１３には、開口１３ａが形成されている。表示部ユニット６０は、開口１３ａから表示部２０が露出した状態で、第１筐体１１の内部に配置されている。同様に、第２筐体１４の筐体蓋部１６には、開口１６ａが形成されている。操作部ユニット７０は、開口１６ａから操作部２６が露出した状態で、第２筐体１４の内部に配置されている。
【００２４】
基板ユニット４０と基板ユニット５０とは、後述するフレキシブルケーブル４３とフレキシブルケーブル５３とによって接続されている。また、基板ユニット４０と表示部ユニット６０とは、フレキシブルケーブル４４とフレキシブルケーブル６３とによって接続され、基板ユニット５０と操作部ユニット７０とは、フレキシブルケーブル５４とフレキシブルケーブル７３とによって接続されている。
【００２５】
図４（Ａ）は、被覆される前の基板ユニット４０を示す図である。図４（Ｂ）は、被覆された後の基板ユニット４０を示す図である。図４（Ａ）に示すように、基板ユニット４０は、基板４１と、２本のフレキシブルケーブル４３，４４と、を有している。
【００２６】
基板４１は、例えばエポキシ樹脂からなる。エポキシ樹脂は、樹脂含浸処理により、ガラス繊維（例えばガラス布又はガラス不織布）やアラミド繊維（例えばアラミド不織布）等の補強材を含んでいることが好ましい。この基板４１の表面には、複数の電子部品が実装されている。
【００２７】
２本のフレキシブルケーブル４３，４４それぞれは、一端に防水処理が施されたコネクタ４３ａ，４４ａが取り付けられ、他端が基板４１に接続されている。
【００２８】
図４（Ｂ）に示すように、基板ユニット４０の基板４１は、樹脂４２によって被覆される。これにより、基板４１に実装された電子部品と、基板４１とフレキシブルケーブル４３，４４との接続部が水密に被覆される。樹脂４２としては、例えば、シリコン樹脂、エポキシ樹脂を用いることができる。
【００２９】
図５（Ａ）は、被覆される前の基板ユニット５０を示す図である。図５（Ｂ）は、被覆された後の基板ユニット５０を示す図である。図５（Ａ）に示すように、基板ユニット５０は、基板ユニット４０と同様に、基板５１と、２本のフレキシブルケーブル５３，５４と、を有している。
【００３０】
基板５１は、例えばエポキシ樹脂からなり、表面に、複数の電子部品が実装されている。
【００３１】
２本のフレキシブルケーブル５３，５４それぞれは、一端に防水処理が施されたコネクタ５３ａ，５４ａが取り付けられ、他端が基板５１に接続されている。
【００３２】
図５（Ｂ）に示すように、基板ユニット５０の基板５１は、樹脂５２によって被覆される。これにより、基板５１に実装された電子部品と、基板５１とフレキシブルケーブル５３，５４との接続部が水密に被覆される。
【００３３】
図６（Ａ）は、被覆される前の表示部ユニット６０を示す図である。図６（Ｂ）は、被覆された後の表示部ユニット６０を示す図である。図６（Ａ）に示すように、表示部ユニット６０は、表示部２０と、基板６１と、フレキシブルケーブル６３と、を有している。
【００３４】
基板６１は、例えばエポキシ樹脂からなる。基板６１の表面には、表示部２０としての液晶パネル、表示部２０の背面側から光を照射するバックライト等の光源が実装されている。
【００３５】
フレキシブルケーブル６３は、一端に防水処理が施されたコネクタ６３ａが取り付けられ、他端が基板６１に接続されている。
【００３６】
図６（Ｂ）に示すように、表示部ユニット６０の基板６１は、樹脂６２によって被覆される。これにより、基板６１と表示部２０及び光源との接続部と、基板６１とフレキシブルケーブル６３との接続部が水密に被覆される。
【００３７】
図７（Ａ）は、被覆される前の操作部ユニット７０を示す図である。図７（Ｂ）は、被覆された後の操作部ユニット７０を示す図である。図７（Ａ）に示すように、操作部ユニット７０は、操作部２６と、基板７１と、フレキシブルケーブル７３と、を有している。
【００３８】
基板７１の表面には、操作部２６のテンキー、方向キー／決定キー、及びファンクションキーに対応した、複数のキースイッチ（図示なし）が実装されている。このスイッチの接点は、操作部２６のテンキー、方向キー／決定キー、及びファンクションキーが押下された場合にクローズする。
【００３９】
フレキシブルケーブル７３は、一端に防水処理が施されたコネクタ７３ａが取り付けられ、他端が基板７１に接続されている。
【００４０】
図７（Ｂ）に示すように、操作部ユニット７０の基板７１は、樹脂７２によって被覆される。これにより、基板７１とキースイッチそれぞれの接続部と、基板７１とフレキシブルケーブル７３との接続部とが水密に被覆される。
【００４１】
図３を参照するとわかるように、上述した基板ユニット４０及び基板ユニット５０は、コネクタ４３ａとコネクタ５３ａとが接続されることで、電気的に接続される。
【００４２】
また、表示部ユニット６０は、コネクタ６３ａが、コネクタ４４ａに接続されることで、基板ユニット４０と電気的に接続される。そして、操作部ユニット７０は、コネクタ７３ａが、コネクタ５４ａに接続されることで、基板ユニット５０と電気的に接続される。
【００４３】
相互に接続された各ユニット４０，５０，６０，７０のうちの、表示部ユニット６０は、表示部２０が開口１３ａから露出した状態で、第１筐体１１の筐体蓋部１３に取り付けられる。また、操作部ユニット７０は操作部２６が開口１６ａから露出した状態で、第２筐体の筐体蓋部１６に取り付けられる。一方、基板ユニット４０，５０は、それぞれ筐体本体１２，１５に収容された状態で、筐体本体１２，１５に固定される。
【００４４】
そして、表示部ユニット６０が取り付けられた筐体蓋部１３と、操作部ユニット７０が取り付けられた筐体蓋部１６とが接続され、筐体蓋部１３，１６、及び筐体本体１２，１５が一体化されることで、携帯電話機１０が完成する。
【００４５】
以上説明したように、本実施形態に係る携帯電話機１０では、各ユニット４０，５０，６０，７０の基板４１，５１，６１，７１は、樹脂４２，５２，６２，７２によって被覆されている。このため、携帯電話機１０の筐体内部に、多少の水が侵入したとしても、基板４１，５１，６１，７１それぞれに実装された電子部品が水の影響を受けることがない。したがって、筐体の構造を、水の侵入を完全に防ぐための防水構造とする必要がなく、簡素化することができる。
【００４６】
また、本実施形態に係る携帯電話機１０では、筐体の構造を、水の侵入を完全に防ぐための防水構造とする必要がない。このため、防水性能の高い携帯電話機の筐体を、防水性能が比較的低い携帯電話機の筐体と同等の設計思想に基づいて製作することが可能となる。
【００４７】
また、本実施形態に係る携帯電話機１０では、各ユニット４０，５０，６０，７０は、防水処理が施されたコネクタ４３ａ，４４ａ，５３ａ，５４ａ，６３ａ，７３ａを介して接続されている。これにより、フレキシブルケーブル同士の接続部に、水が接触したり、結露が発生すること等が回避される。
【００４８】
また、本実施形態に係る携帯電話機１０は、筐体の防水構造が簡素である。このため、筐体の設計に要する工数を少なくすることができる。また、防水性の評価、再設計等に要する工程数を少なくすることができる。したがって、製品の完成までに要する時間を短縮することができる。
【００４９】
また、本実施形態に係る携帯電話機１０は、基板４１，５１，６１，７１が樹脂４２，５２，６２，７２によって被覆される。これにより、携帯電話機１０の衝撃吸収性が向上し、落下強度が高くなる。
【００５０】
また、本実施形態に係る携帯電話機１０は、４つのユニットを有している。これに限らず、図６に示すように、基板ユニット４０と表示部ユニット６０とが一体となっていてもよい。また、基板ユニット５０と操作部ユニット７０とが一体となっていてもよい。
【００５１】
また基板４１とフレキシブルケーブル４３，４４とは、圧着によって直接接続されていてもよいし、コネクタを介して接続されていてもよい。基板５１とフレキシブルケーブル５３，５４との接続、基板６１とフレキシブルケーブル６３との接続、基板７１とフレキシブルケーブル７３との接続についても同様である。
【００５２】
本発明は、上記実施形態で説明した携帯電話機に限らず、ＰＤＡ（Personal Digital Assistant）、ＰＨＳ（Personal Handy-phone System）、携帯型ＰＣ（Mobile Personal Computer)などの携帯通信端末、及びその他の情報処理装置においても適用することができる。
【００５３】
また、本発明は、本発明の広義の精神と範囲を逸脱することなく、様々な実施形態及び変形が可能とされるものである。上述した実施形態は、本発明を説明するためのものであり、本発明の範囲を限定するものではない。
【００５４】
上記の実施形態の一部又は全部は、以下の付記のようにも記載されうるが、以下には限られない。
【００５５】
（付記１）筐体と、前記筐体内に配置されるユニットと、を有する携帯通信端末であって、前記ユニットは、防水性の物質によって被覆されていることを特徴とする携帯通信端末。
【００５６】
（付記２）前記ユニットは、複数配置され、コネクタを介して相互に接続されていることを特徴とする付記１に記載の携帯通信端末。
【００５７】
（付記３）前記コネクタは、防水処理が施されていることを特徴とする付記２に記載の携帯通信端末。
【００５８】
（付記４）前記筐体は、第１筐体と、前記第１筐体と回動可能に接続された第２筐体とを有し、前記第１筐体及び前記第２筐体のそれぞれに、前記ユニットが配置されていることを特徴とする付記２又は付記３に記載の携帯通信端末。
【００５９】
（付記５）前記ユニットは、ユーザに情報を表示するための表示部を備えることを特徴とする付記１乃至４のいずれか一つに記載の携帯通信端末。
【００６０】
（付記６）前記表示部は、露出していることを特徴とする付記５に記載の携帯通信端末。
【００６１】
（付記７）前記ユニットは、ユーザが情報を入力するための操作部を備えることを特徴とする付記１乃至６のいずれか一つに記載の携帯通信端末。
【００６２】
（付記８）前記操作部は、露出していることを特徴とする付記７に記載の携帯通信端末。
【産業上の利用可能性】
【００６３】
本発明の携帯通信端末は、携帯電話機に用いるのに適している。
【符号の説明】
【００６４】
１０  携帯電話機
１１  第１筐体
１２、１５  筐体本体
１３、１６  筐体蓋部
１３ａ、１６ａ  開口
１４  第２筐体
１７  ヒンジ部
２０  表示部
２２  マイク
２４  スピーカ
２６  操作部
３０  制御部
３１  記憶部
３３  無線通信部
３３ａ、３４ａ  アンテナ
３４  放送受信部
３５  カメラ
３６  音声処理部
３７  測位部
３８  バス
４０、５０  基板ユニット
４１、５１、６１、７１  基板
４２、５２、６２、７２  樹脂
４３、４４、５３、５４、６３、７３  フレキシブルケーブル
４３ａ、４４ａ、５３ａ、５４ａ、６３ａ、７３ａ  コネクタ
６０  表示部ユニット
７０  操作部ユニット
【図１】
2011193174.tif 000003
【図２】
2011193174.tif 000004
【図３】
2011193174.tif 000005
【図４】
2011193174.tif 000006
【図５】
2011193174.tif 000007
【図６】
2011193174.tif 000008
【図７】
2011193174.tif 000009
【図８】
2011193174.tif 000010